(57)【特許請求の範囲】
【請求項１】
本体の内部に設けられ、気流を発生させる気流発生手段と、
水が貯められる貯水部と、
前記貯水部に貯められた水によって空気を加湿する加湿手段と、
空気を清浄する清浄手段と、
前記加湿手段によって加湿された空気を、前記気流発生手段によって発生させられる気流によって第１吹出口へ搬送する第１ダクトと、
前記清浄手段によって清浄された空気を、前記気流発生手段によって発生させられる気流によって第２吹出口へ搬送する第２ダクトと、
前記清浄手段によって清浄された空気を、前記気流発生手段によって発生させられる気流によって第３吹出口へ搬送する第３ダクトと、
を備え、
前記第１ダクトによって前記第１吹出口へ搬送された空気は、前記本体に対して横方向に吹き出され、
前記第２ダクトによって前記第２吹出口へ搬送された空気は、前記第１ダクトによって前記第１吹出口へ搬送されて吹き出される空気の流れを妨げない方向に吹き出され、
前記第３ダクトによって前記第３吹出口へ搬送された空気は、前記本体に対して横方向に吹き出され、
前記第１吹出口と前記第３吹出口とは、上下に並んで配置される加湿器。
【請求項２】
前記第２吹出口から吹き出される空気の風量は前記第３吹出口から吹き出される空気の風量よりも多い請求項１に記載の加湿器。
【請求項３】
前記気流発生手段によって発生させられる気流を、前記第２吹出口と前記第３吹出口との何れか一方または前記第２吹出口と前記第３吹出口との両方から空気が吹き出されるように切替える切替手段を備える請求項１に記載の加湿器。
【請求項４】
複数の運転モードが記憶されている記憶手段と、
前記記憶手段に記憶されている複数の運転モードの中から１つの運転モードを選択する選択手段と、
前記選択手段によって選択された運転モードに基づいて前記切替手段を制御する制御手段と、
を備え、
前記複数の運転モードには、加湿運転モードと空気清浄運転モードが含まれ、
前記制御手段は、前記選択手段によって前記加湿運転モードが選択されると前記第２吹出口から空気が吹き出されないように前記切替手段を制御し、前記選択手段によって前記空気清浄運転モードが選択されると前記第３吹出口から空気が吹き出されないように前記切替手段を制御する請求項３に記載の加湿器。
【請求項５】
前記記憶手段に記憶されている複数の運転モードには、加湿清浄運転モードが含まれ、
前記制御手段は、前記選択手段によって前記加湿清浄運転モードが選択されると前記第２吹出口と前記第３吹出口との両方から空気が吹き出されてかつ前記第２吹出口から吹き出される空気の風量が前記第３吹出口から吹き出される空気の風量よりも多くなるように前記切替手段を制御する請求項４に記載の加湿器。
【請求項６】
前記記憶手段に記憶されている複数の運転モードには、清浄後加湿運転モードが含まれ、
前記制御手段は、前記選択手段によって前記清浄後加湿運転モードが選択されると一定時間は前記第３吹出口から空気が吹き出されないように前記切替手段を制御し、前記一定時間が経過すると前記第２吹出口から空気が吹き出されないように前記切替手段を制御する請求項４または請求項５に記載の加湿器。
【請求項７】
空気の清浄度を検出する清浄度検出手段を備え、
前記一定時間は、前記清浄度検出手段の検出結果に基づいて変更される請求項６に記載の加湿器。
【請求項８】
空気の清浄度を検出する清浄度検出手段を備え、
前記一定時間の間に前記第２吹出口から吹き出される空気の風量は、前記清浄度検出手段の検出結果に基づいて変更される請求項６に記載の加湿器。
【請求項９】
室内の湿度を検出する湿度検出手段を備え、
前記制御手段は、前記第３吹出口から空気が吹き出されている際に前記湿度検出手段によって検出された湿度が一定湿度以上になると、前記第３吹出口から空気が吹き出されないように前記切替手段を制御する請求項４から請求項８の何れか１項に記載の加湿器。
【請求項１０】
前記加湿手段は、前記貯水部に貯められた水を加熱して蒸気を発生させることによって空気を加湿する請求項１から請求項９の何れか１項に記載の加湿器。
【請求項１１】
前記加湿手段は、前記貯水部に貯められた水を加熱して蒸気を発生させることによって空気を加湿し、
前記第３吹出口は、前記第１吹出口の上方に配置される請求項１から請求項９の何れか１項に記載の加湿器。
【請求項１２】
前記第３ダクトによって搬送される空気を加熱する加熱手段を備え、
前記第３吹出口は、前記第１吹出口の下方に配置される請求項１から請求項９の何れか１項に記載の加湿器。
【発明の詳細な説明】
【技術分野】
【０００１】
本発明は、加湿器に関する。
【背景技術】
【０００２】
特許文献１に、加湿器が記載されている。特許文献１に記載の加湿器は、室内の空気の加湿及び清浄を行う。特許文献１に記載の加湿器は、２つの吹出口を有する。２つの吹出口からは、清浄された空気と加湿された空気とが吹き出される。２つの吹出口は、器枠の側面に開口している。２つの吹出口は、同一方向に開口している。
【先行技術文献】
【特許文献】
【０００３】
【特許文献１】実開平４−１３３４号公報
【発明の概要】
【発明が解決しようとする課題】
【０００４】
上記の特許文献１において、加湿された空気と清浄された空気とは、同一の方向に吹き出される。加湿された空気は、清浄された空気によって拡散させられる。このため、加湿された空気の到達距離が短い。上記の特許文献１の加湿器は、所望の位置に加湿された空気を供給しつつ室内全体の空気を清浄することができない。
【０００５】
本発明は、上記のような課題を解決するためになされた。本発明の目的は、空気の加湿と清浄とを同時に行うことができ、かつ加湿された空気の到達距離がより長い加湿器を得ることである。
【課題を解決するための手段】
【０００６】
本発明に係る加湿器は、気流を発生させる気流発生手段と、水が貯められる貯水部と、貯水部に貯められた水によって空気を加湿する加湿手段と、空気を清浄する清浄手段と、第１ダクトと、第２ダクトと、第３ダクトと、を備える。気流発生手段は、本体の内部に設けられる。第１ダクトは、加湿手段によって加湿された空気を、気流発生手段によって発生させられる気流によって第１吹出口へ搬送する。第２ダクトは、清浄手段によって清浄された空気を、気流発生手段によって発生させられる気流によって第２吹出口へ搬送する。第３ダクトは、清浄手段によって清浄された空気を、気流発生手段によって発生させられる気流によって第３吹出口へ搬送する。第１ダクトによって第１吹出口へ搬送された空気は、本体に対して横方向に吹き出される。第２ダクトによって第２吹出口へ搬送された空気は、第１ダクトによって第１吹出口へ搬送されて吹き出される空気の流れを妨げない方向に吹き出される。第３ダクトによって第３吹出口へ搬送された空気は、本体に対して横方向に吹き出される。第１吹出口と第３吹出口とは、上下に並んで配置される。
【発明の効果】
【０００７】
本発明に係る加湿器は、加湿手段によって加湿された空気を第１吹出口へ搬送する第１ダクトと清浄手段によって清浄された空気を第２吹出口へ搬送する第２ダクトとを備える。第１吹出口へ搬送された空気は、本体に対して横方向に吹き出される。第２吹出口へ搬送された空気は、第１ダクトによって第１吹出口へ搬送されて吹き出される空気の流れを妨げない方向に吹き出される。このため空気の加湿と清浄とを同時に行うことができ、かつ加湿された空気の到達距離がより長い加湿器が得られる。
【図面の簡単な説明】
【０００８】
【図１】本発明の実施の形態１の加湿器を示す斜視図である。
【図２】本発明の実施の形態１の加湿清浄運転時の加湿器を示す縦断面図である。
【図３】本発明の実施の形態１の加湿運転時の加湿器を示す縦断面図である。
【図４】本発明の実施の形態１の空気清浄運転時の加湿器を示す縦断面図である。
【図５】本発明の実施の形態１の加湿器の動作の一例を示すフローチャートである。
【図６】本発明の実施の形態２の加湿運転時の加湿器を示す縦断面図である。
【図７】本発明の実施の形態２の空気清浄運転時の加湿器を示す縦断面図である。
【図８】本発明の実施の形態３の加湿器を示す斜視図である。
【図９】本発明の実施の形態３の加湿運転時の加湿器を示す縦断面図である。
【図１０】本発明の実施の形態３の空気清浄運転時の加湿器を示す縦断面図である。
【図１１】本発明の実施の形態３の加湿器の動作の一例を示すフローチャートである。
【図１２】本発明の実施の形態４の加湿運転時の加湿器を示す縦断面図である。
【図１３】本発明の実施の形態４の空気清浄運転時の加湿器を示す縦断面図である。
【図１４】本発明の実施の形態４の加湿器の動作の一例を示すフローチャートである。
【図１５】制御装置のハードウェア構成図である。
【発明を実施するための形態】
【０００９】
以下、図面を参照して、本発明の実施の形態について説明する。尚、各図において同一部分または相当部分は、同一の符号を付して、重複する説明を省略する。
【００１０】
実施の形態１．
図１は、本発明の実施の形態１の加湿器１００を示す斜視図である。図２は、本発明の実施の形態１の加湿清浄運転時の加湿器１００を示す縦断面図である。加湿器１００は加湿清浄運転を行う装置である。加湿清浄運転とは、加湿対象を加湿しつつ室内の空気を清浄する運転である。本実施の形態の加湿清浄運転では、加湿された空気と清浄された空気とが、異なる方向に同時に吹き出される。本実施の形態の加湿清浄運転では、加湿された空気は加湿対象に向けて吹き出される。加湿対象には、例えば使用者の顔等が含まれる。
【００１１】
図１及び図２に示すように、加湿器１００は、本体１及び給水タンク２を備える。給水タンク２は、本体１に着脱可能に取り付けられる。使用者は、本体１から取り外された給水タンク２に、水を補充することができる。
【００１２】
ここで本実施の形態では、図２の紙面上の左右方向を、前後方向とする。また図２の紙面上の上下方向を、上下方向とする。図２の紙面に垂直な方向を、本実施の形態の左右方向とする。前後方向及び左右方向は、横方向に含まれる。給水タンク２は、例えば本体１の後側の上部に取り付けられる。
【００１３】
加湿器１００は、貯水部３を備える。貯水部３には、水が貯められる。貯水部３は、例えば図２に示すように、本体１の後側の内部に設けられる。貯水部３には、給水タンク２から水が供給される。
【００１４】
貯水部３には、例えばタンク受け部４が形成される。タンク受け部４は、上方に向けて開口する凹形の形状である。タンク受け部４内には、この開口によって空間が形成される。また給水タンク２には、例えば取付部５が形成される。給水タンク２は、取付部５が下を向くように本体１に取り付けられる。給水タンク２は、取付部５がタンク受け部４に入り込むように本体１に取り付けられる。取付部５は、給水タンク２が本体１に取り付けられた状態において、下方に向けて開口している。
【００１５】
給水タンク２には、一例として給水弁６が設けられている。給水弁６は、例えば図２に示すように給水タンク２が本体１に取り付けられた状態において、給水タンク２の下面と取付部５との間に位置する。給水弁６は、給水タンク２が本体１に取り付けられると開く。給水弁６は、給水タンク２が本体１から取り外されると閉じる。
【００１６】
給水タンク２が本体１に取り付けられると給水弁６が開き、給水タンク２内の水が取付部５の開口まで供給される。貯水部３には、取付部５の開口から水が供給される。これにより、貯水部３には水が貯められる。一例として貯水部３には、水位が取付部５の開口の高さになるように水が貯められる。
【００１７】
加湿器１００は、加湿手段の一例として、蒸気生成部７を備える。蒸気生成部７は、例えば本体１の内部に設けられる。蒸気生成部７は、貯水部３から供給された水によって空気を加湿する部位である。
【００１８】
蒸気生成部７は、例えば蒸発皿８、ヒータ９及び蒸気カバー１０を有する。蒸発皿８は、皿状の部位である。蒸発皿８は、図２に示すように底面が開口している。蒸発皿８の底面の開口は、例えばホース１１によって貯水部３の底部と接続される。蒸発皿８には、ホース１１を介して、貯水部３から水が供給される。これにより蒸発皿８には、水が貯められる。蒸発皿８の材質は、例えばアルミニウム等の金属である。
【００１９】
ヒータ９は、例えば蒸発皿８の側面の外周に設けられる。蒸気カバー１０は、蒸発皿８の上方に設けられる。蒸気カバー１０は、図２に示すように蒸発皿８を覆うように設けられる。蒸気カバー１０の上面には上下に貫通した孔が形成される。
【００２０】
ヒータ９は、蒸発皿８を加熱する。ヒータ９によって蒸発皿８が加熱されることにより、蒸発皿８に貯められた水が加熱される。蒸発皿８に貯められた水は、加熱されることによって沸騰する。蒸発皿８に貯められた水が沸騰することにより、蒸気Ｗ１が生成される。蒸気Ｗ１は、蒸気カバー１０の上面の孔から蒸気生成部７の上方へ放出される。蒸気生成部７の上方の空気は、この蒸気Ｗ１によって加湿される。蒸気生成部７は、このように簡便な動作で空気を加湿することができる。
【００２１】
加湿器１００は、第１ダクトの一例として高温高湿空気ダクト１２を備える。高温高湿空気ダクト１２は、両端が開口した筒状の部位である。高温高湿空気ダクト１２は、例えば図２に示すように、一端の開口が本体１の内部に位置するように設けられる。高温高湿空気ダクト１２は、一端の開口が下方を向くように設けられる。高温高湿空気ダクト１２は、蒸気生成部７から放出された蒸気Ｗ１を内部に取り込むように設けられる。
【００２２】
高温高湿空気ダクト１２は、例えば湾曲した形状である。高温高湿空気ダクト１２は、例えば図２に示すように、一端の開口から上方に向かって伸びた後に本体１の前方に向かって伸びるように形成される。なお高温高湿空気ダクト１２は、例えば９０度に曲げられた屈曲した形状であってもよい。
【００２３】
高温高湿空気ダクト１２の他端は、本体１の前方に向かって開口している。高温高湿空気ダクト１２の他端のこの開口は、高温高湿空気吹出口１３である。高温高湿空気吹出口１３は、第１吹出口の一例である。高温高湿空気吹出口１３は本体１に対して前方、すなわち本体１に対して横方向に開口している。高温高湿空気吹出口１３は、第１吹出口の一例である。高温高湿空気吹出口１３は、高温高湿空気ダクト１２の内部の空間と本体１の前方の空間とを連通させる。蒸気生成部７によって加湿された空気は、高温高湿空気ダクト１２によって高温高湿空気吹出口１３まで搬送される。
【００２４】
高温高湿空気ダクト１２には、例えばガードリブ１４が設けられてもよい。ガードリブ１４は、異物及び使用者の手が高温高湿空気ダクト１２の内部へ侵入することを妨げるように設けられる。ガードリブ１４は、例えば高温高湿空気吹出口１３の近傍に設けられる。これにより、例えばヒータ９によって加熱された高温の空間に使用者の手が触れてしまうことが防止される。また異物が、高温高湿空気ダクト１２の内部へ侵入してから蒸気生成部７へ落下することが防止される。
【００２５】
なお高温高湿空気ダクト１２のうち、本体１の前方に向かって高温高湿空気吹出口１３まで伸びる部分の底面は、高温高湿空気吹出口１３に向かって上方に傾斜してもよい。本例であれば、例えば高温高湿空気ダクト１２内で発生した結露水は、高温高湿空気ダクト１２あるいは蒸気生成部７の内部へ留まる。高温高湿空気ダクト１２内で発生した結露水は、高温高湿空気吹出口１３から本体１の外部へと漏れ出さない。
【００２６】
本体１の後部には、吸気口１５が開口している。吸気口１５は、本体１の外部から本体１の内部へ空気を取り込むために形成される。吸気口１５は、一例として図２に示すように、貯水部３の下方に形成される。
【００２７】
加湿器１００は、送風ダクト１６を備える。送風ダクト１６は、筒状の部位である。送風ダクト１６は、一端が開口している。送風ダクト１６のこの一端の開口は、気流取込口１７である。送風ダクト１６は、図２に示すように、気流取込口１７が本体１の内部で下方を向くように設けられる。
【００２８】
送風ダクト１６の形状は、例えば図２に示すように、気流取込口１７から上方に向かって伸びた後に２つに分岐する形状である。送風ダクト１６のうち、この２つに分岐した部分は、それぞれ清浄空気ダクト１８と搬送空気ダクト１９となる。清浄空気ダクト１８は、第２ダクトの一例である。搬送空気ダクト１９は、第３ダクトの一例である。
【００２９】
清浄空気ダクト１８は、図２に示すように、本体１の上方に向かって伸びるように形成される。清浄空気ダクト１８には、本体１に対して上方向に開口した清浄空気吹出口２０が形成される。清浄空気吹出口２０は、第２吹出口の一例である。清浄空気吹出口２０は、清浄空気ダクト１８の内部の空間と本体１の上方の空間とを連通させる。
【００３０】
搬送空気ダクト１９は、図２に示すように、本体１の前方に向かって伸びるように形成される。搬送空気ダクト１９は、一例として、高温高湿空気ダクト１２の上方を通るように形成される。搬送空気ダクト１９には、本体１の前方に向かって開口した搬送空気吹出口２１が形成される。すなわち搬送空気吹出口２１は、本体１に対して横方向に開口している。搬送空気吹出口２１は、第３吹出口の一例である。搬送空気吹出口２１は、搬送空気ダクト１９の内部の空間と本体１の前方の空間とを連通させる。
【００３１】
搬送空気吹出口２１と高温高湿空気吹出口１３とは、一例として上下に並んで配置される。例えば搬送空気吹出口２１は、図１及び図２に示すように、高温高湿空気吹出口１３の上方に形成される。
【００３２】
本体１の内部の下部には、図２に示すように、吸気風路２２が形成されている。吸気風路２２は、吸気口１５から気流取込口１７へ至る空間である。また加湿器１００は、ファン２３を備える。ファン２３は、本体１の内部に設けられる。ファン２３は、例えば吸気風路２２内に配置される。ファン２３は、気流を発生させる気流発生手段の一例である。
【００３３】
ファン２３は、モータ２３ａ及び翼部２３ｂを有する。モータ２３ａと翼部２３ｂとは接続されている。モータ２３ａは、翼部２３ｂを回転させる。ファン２３は、翼部２３ｂの回転により、図２に示すように吸気口１５から本体１の内部へと室内空気Ｗ２を取り込む。またファン２３は、翼部２３ｂの回転によって、吸気口１５から気流取込口１７へ向かう気流を発生させる。
【００３４】
加湿器１００は、空気を清浄する清浄手段の一例として、空気清浄フィルター２４を備える。空気清浄フィルター２４は、例えば図２に示すように吸気風路２２の内部に設けられる。空気清浄フィルター２４は、例えば吸気口１５とファン２３との間に設けられる。空気清浄フィルター２４は、例えば吸気口１５を覆うように、吸気口１５の近傍に設けられる。
【００３５】
空気清浄フィルター２４は、空気中に含まれる塵埃を除去するフィルターである。空気清浄フィルター２４は、例えば本体１から取り外し可能に設けられる。使用者は、空気清浄フィルター２４を、本体１から取り外して清掃することができる。
【００３６】
ファン２３によって取り込まれた室内空気Ｗ２は、空気清浄フィルター２４を通過する。空気清浄フィルター２４を通過した室内空気Ｗ２は、清浄空気Ｗ３となる。清浄空気Ｗ３は、ファン２３によって発生させられた気流により、気流取込口１７へ導かれる。清浄空気Ｗ３は、気流取込口１７から、送風ダクト１６内へ導かれる。
【００３７】
送風ダクト１６内へ導かれた清浄空気Ｗ３の一部は、ファン２３によって発生させられた気流により、清浄空気ダクト１８へ導かれる。清浄空気ダクト１８へ導かれた清浄空気Ｗ３の一部を、清浄空気Ｗ４と呼称する。清浄空気ダクト１８は、清浄空気Ｗ４を、ファン２３によって発生させられた気流によって清浄空気吹出口２０へ搬送する。清浄空気吹出口２０へ搬送された清浄空気Ｗ４は、ファン２３によって発生させられた気流により、本体１に対して上方向に吹き出される。
【００３８】
また送風ダクト１６内へ導かれた清浄空気Ｗ３の一部は、ファン２３によって発生させられた気流により、搬送空気ダクト１９へ導かれる。搬送空気ダクト１９へ導かれた清浄空気Ｗ３の一部を、搬送空気Ｗ５と呼称する。搬送空気ダクト１９は、搬送空気Ｗ５を、ファン２３によって発生させられた気流によって搬送空気吹出口２１へ搬送する。搬送空気吹出口２１へ搬送された搬送空気Ｗ５は、ファン２３によって発生させられた気流により、本体１に対して前方向に吹き出される。
【００３９】
搬送空気ダクト１９には、例えば風向調整部１９ａが設けられてもよい。風向調整部１９ａは、搬送空気吹出口２１から吹き出される搬送空気Ｗ５の風向を調整する、風向調整部１９ａは、例えば板状の部材である。風向調整部１９ａは、例えば図２に示すように、搬送空気吹出口２１の上側の縁に設けられる。風向調整部１９ａは、例えば搬送空気吹出口２１から前方に向かって先端が突出するように設けられる。風向調整部１９ａは、例えば後端が左右方向から軸支される。風向調整部１９ａは、軸支された後端を中心にして回動可能に設けられる。
【００４０】
高温高湿空気ダクト１２の内部には、例えば図２に示すように蒸気生成部７の上方に蒸気混合空間２５が形成される。また本体１の内部には、送風ダクト１６内の空間と蒸気混合空間２５とを連通させるガイド風路２６が形成される。ガイド風路２６は、例えば蒸気混合空間２５の中央に対して水平方向に偏った位置に形成される。
【００４１】
ガイド風路２６は、送風ダクト１６内へ導かれた清浄空気Ｗ３の一部を、蒸気混合空間２５へ導く。蒸気混合空間２５の内部では、ガイド風路２６によって導かれた清浄空気Ｗ３と、蒸気Ｗ１とが混合される。
【００４２】
なお蒸気混合空間２５は、例えば円筒形状に形成されてもよい。円筒形状の蒸気混合空間２５内に流入した蒸気Ｗ１と清浄空気Ｗ３とは、互いに旋回しながら効率よく混合される。
【００４３】
蒸気Ｗ１と清浄空気Ｗ３とが混合されることにより、高温高湿空気Ｗ６が生成される。高温高湿空気ダクト１２は、高温高湿空気Ｗ６を、ファン２３によって発生させられた気流によって高温高湿空気吹出口１３へ搬送する。高温高湿空気吹出口１３へ搬送された高温高湿空気Ｗ６は、ファン２３によって発生させられた気流により、本体１に対して前方向に吹き出される。
【００４４】
図２に示すように、搬送空気Ｗ５と高温高湿空気Ｗ６とは、本体１に対して横方向に併進しつつ混ざるように吹き出される。搬送空気Ｗ５と高温高湿空気Ｗ６とは、上下方向から互いに熱交換しつつ混ざり合う。混ざり合った搬送空気Ｗ５と高温高湿空気Ｗ６とは、加湿空気Ｗ７となる。加湿空気Ｗ７は、加湿対象に向かって送り出される。
【００４５】
また加湿器１００は、風路切替弁２７を備えてもよい。風路切替弁２７は、例えば板状の弁である。風路切替弁２７は、清浄空気ダクト１８内の風路を閉塞可能に設けられる。また風路切替弁２７は、搬送空気ダクト１９内の風路及びガイド風路２６を閉塞可能に設けられる。また風路切替弁２７は、清浄空気ダクト１８内の風路及び搬送空気ダクト１９内の風路を、開かれた状態にもできる。
【００４６】
風路切替弁２７は、例えば板状の弁である。風路切替弁２７の上端には、例えば支持部２８が設けられる。支持部２８には、レバー２９の下端が設けられる。支持部２８は、例えば図２に示すように、清浄空気ダクト１８と搬送空気ダクト１９との間で左右方向から軸支される。風路切替弁２７及びレバー２９は、支持部２８を支点として、前後方向に回動する。
【００４７】
例えばレバー２９が支持部２８を支点にして前側に倒されると、風路切替弁２７は支持部２８を支点にして後側へ回動する。例えばレバー２９が支持部２８を支点にして後側に倒されると、風路切替弁２７が支持部２８を支点にして前側へ回動する。
【００４８】
レバー２９には、例えば弁駆動部３０が接続されている。弁駆動部３０は、例えば本体１の内部に設けられる。レバー２９は、例えば弁駆動部３０によって動かされる。弁駆動部３０は、例えば通電によって制御される。風路切替弁２７、支持部２８、レバー２９及び弁駆動部３０は、ファン２３によって発生させられる気流を切替える切替手段の一例である。なおレバー２９は、例えば本体１の外部の上方に向かって突出していてもよい。レバー２９は、手動で操作可能であってもよい。
【００４９】
本実施の形態の加湿器１００は、加湿清浄運転の他に、一例として加湿運転及び空気清浄運転を行う。加湿運転とは、加湿対象に加湿された空気を送る運転である。空気清浄運転とは、清浄された空気を吹き出す運転である。加湿運転と空気清浄運転と加湿清浄運転とは、ファン２３によって発生させられる気流が風路切替弁２７に切替えられることによって、切替えられる。
【００５０】
図２において風路切替弁２７は、清浄空気ダクト１８内の風路と搬送空気ダクト１９内の風路とガイド風路２６とを開いている。加湿清浄運転は、清浄空気ダクト１８内の風路と搬送空気ダクト１９内の風路とガイド風路２６とが開かれた状態でファン２３が駆動することによって行われる。
【００５１】
図３は、本発明の実施の形態１の加湿運転時の加湿器１００を示す縦断面図である。支持部２８を支点にして後側へ回動した風路切替弁２７は、清浄空気ダクト１８内の風路を閉じる。清浄空気ダクト１８内の風路を、清浄風路と呼称する。加湿運転は、清浄風路が閉じられた状態でファン２３及びヒータ９が駆動することによって行われる。
【００５２】
清浄風路が閉じられた状態においてファン２３は、高温高湿空気吹出口１３及び搬送空気吹出口２１へ向かう気流を発生させる。加湿運転の際には、図３に示すように、気流は清浄空気吹出口２０へ向かない。このため、清浄空気吹出口２０から空気は吹き出されない。加湿運転の際には、加湿空気Ｗ７が加湿対象に向かって送り出される。
【００５３】
図４は、本発明の実施の形態１の空気清浄運転時の加湿器１００を示す縦断面図である。支持部２８を支点にして前側へ回動した風路切替弁２７は、搬送空気ダクト１９内の風路及びガイド風路２６を閉じる。搬送空気ダクト１９内の風路及びガイド風路２６をまとめて加湿風路と呼称する。空気清浄運転は、加湿風路が閉じられた状態でファン２３が駆動することによって行われる。
【００５４】
加湿風路が閉じられた状態においてファン２３は、清浄空気吹出口２０へ向かう気流を発生させる。空気清浄運転の際には、図４に示すように、気流は高温高湿空気吹出口１３及び搬送空気吹出口２１へ向かない。このため、高温高湿空気吹出口１３及び搬送空気吹出口２１から空気は吹き出されない。空気清浄運転の際には、図４に示すように、送風ダクト１６内へ導かれた清浄空気Ｗ３は分岐しない。清浄空気Ｗ３は、清浄空気吹出口２０から上方に向かって吹き出される。
【００５５】
また加湿器１００は、各種のセンサ系統を備えてもよい。この各種のセンサ系統には、一例として空気清浄度検出部３１及び湿度検出部３２が含まれる。空気清浄度検出部３１は、室内の空気の清浄度を検出する清浄度検出手段の一例である。また湿度検出部３２は、室内の湿度を検出する湿度検出手段の一例である。
【００５６】
空気清浄度検出部３１は、例えば図２に示すように、本体１の内部で空気清浄フィルター２４の上方に設けられる。空気清浄度検出部３１は、吸気口１５の近傍に設けられる。空気清浄度検出部３１は、例えばほこりセンサ及び臭いセンサを有する。ほこりセンサは、室内空気Ｗ２中のほこりを検出する。臭いセンサは、室内空気Ｗ２中の臭いを検出する。空気清浄度検出部３１は、ほこりセンサ及び臭いセンサによって、室内空気Ｗ２の空気清浄度を検出する。なお空気清浄度検出部３１は、ほこりセンサあるいは臭いセンサの一方のみを有していてもよい。
【００５７】
湿度検出部３２は、例えば図２に示すように、本体１の内部で空気清浄フィルター２４の上方に設けられる。湿度検出部３２は、吸気口１５の近傍に設けられる。湿度検出部３２は、例えば絶対湿度を検出する湿度センサによって構成される。また湿度検出部３２は、室内空気Ｗ２の温度を検出する室温センサを有してもよい。湿度検出部３２は、例えば湿度センサと室温センサとによって、相対湿度を検出するものであってもよい。
【００５８】
また加湿器１００は、各種センサ系統の１つとして、例えば人検出部３３を備えてもよい。人検出部３３は、例えば本体１の前面に配置される。人検出部３３は、一例として人の存在を検出する人感センサ及び人までの距離を検出する距離センサを有する。人検出部３３は、例えば人感センサ及び距離センサによって、加湿器１００が置かれた室内の人の有無及び加湿器１００から人までの距離を検出する。また人検出部３３は、例えば高温高湿空気吹出口１３に人が接近していることを検出するセンサを有していてもよい。
【００５９】
また本実施の形態の加湿器１００は、制御装置３４を備える。制御装置３４は、例えば本体１の内部に設けられる。制御装置３４の入力側には、上述した各種センサ系統が接続される。制御装置３４の出力側には、加湿器１００に備えられた各機器が接続される。制御装置３４の出力側には、一例としてヒータ９、ファン２３及び弁駆動部３０が接続される。制御装置３４は、例えば各種センサ系統から受信した信号に基づいて、出力側に接続された各機器を通電によって制御する。
【００６０】
本実施の形態の制御装置３４は、記憶手段の一例として記憶部３４ａを有する。記憶部には、複数の運転モードが記憶される。複数の運転モードには、例えば加湿運転モード、空気清浄運転モード及び加湿清浄運転モードが含まれる。また記憶部３４ａには、複数の運転モードのうちの１つとして、清浄後加湿運転モードが記憶されていてもよい。
【００６１】
加湿運転モードは、図３に示される加湿運転が行われる運転モードである。空気清浄運転モードは、図４に示される空気清浄運転が行われる運転モードである。加湿清浄運転モードは、図２に示される加湿清浄運転が行われる運転モードである。清浄後加湿運転モードは、空気清浄運転が一定時間だけ行われてから加湿運転が行われる運転モードである。
【００６２】
本実施の形態の制御装置３４は、制御手段の一例として制御部３４ｂを有する。制御部３４ｂは、制御装置３４の出力側に接続された各機器を制御する部位である。制御部３４ｂは、例えば制御装置３４の入力側に接続された各種センサ系統の検出結果に基づいて、弁駆動部３０を通電によって制御する。
【００６３】
また本体１の前面には、一例として操作表示部３５が設けられる。操作表示部３５は、制御装置３４と通信可能に接続される。操作表示部３５は、例えば操作部３５ａ及び表示部３５ｂを有する。
【００６４】
使用者は、例えば操作部３５ａによって加湿器１００の設定を変更することができる。操作部３５ａは、例えば電源スイッチ及び操作スイッチ等で構成される。電源スイッチは、加湿器１００の電源をオンまたはオフにさせるためのものである。加湿器１００の電源がオンまたはオフになることにより、加湿器１００の運転は開始または停止する。
【００６５】
操作部３５ａは、例えば制御部３４ｂに接続される。制御部３４ｂは、使用者による操作部３５ａの操作に基づいて動作する。制御部３４ｂは、例えば操作部３５ａの電源スイッチがオンの状態にされると、加湿器１００の電源をオンにする。制御部３４ｂは、例えば操作部３５ａの電源スイッチがオフの状態にされると、加湿器１００の電源をオフにする。なお操作部３５ａの電源スイッチは、制御部３４ｂを介さずに、加湿器１００の電源を直接オンまたはオフにするものであってもよい。
【００６６】
使用者は、例えば操作部３５ａを操作することによって、記憶部３４ａに記憶された複数の運転モードの中から一つの運転モードを選択することができる。本例の操作部３５ａは、運転モードを選択する選択手段の一例である。運転モードの選択は、操作部３５ａのうち、例えば操作スイッチによって行われる。
【００６７】
また制御部３４ｂは、記憶部３４ａから情報を読み込む機能を有する。制御部３４ｂは、例えば選択された運転モードの情報を記憶部３４ａから読み込む。制御部３４ｂは、記憶部３４ａから読み込んだ情報に基づいて動作する。
【００６８】
表示部３５ｂは、加湿器１００の状態を表示するものである。表示部３５ｂは、例えばＬＥＤ等のランプを有する。表示部３５ｂは、例えばランプの点灯及び消灯によって、加湿器１００の状態を表示する。表示部３５ｂのランプの点灯及び消灯は、制御装置３４によって制御される。
【００６９】
次に、加湿器１００の動作について説明する。図５は、本発明の実施の形態１の加湿器１００の動作の一例を示すフローチャートである。加湿器１００の電源は、例えば使用者が操作部３５ａの電源スイッチをオンの状態にすることによって、オンになる。（ステップＳ１）。電源がオンになることにより、加湿器１００の運転が開始される。
【００７０】
使用者は、例えば電源スイッチをオンの状態にした後、操作スイッチによって運転モードの選択を行う。ステップＳ１で電源がオンになると、制御部３４ｂは、操作スイッチによって選択された運転モードの情報を記憶部３４ａから読み込む。制御部３４ｂは、読み込んだ情報に基づいて、選択された運転モードの判定を行う（ステップＳ２）。
【００７１】
制御部３４ｂは、空気清浄運転モードが選択されたと判定すると、加湿風路が閉塞されるように弁駆動部３０を動作させる。図４に示すように、風路切替弁２７によって加湿風路が閉塞される（ステップＳ３）。ステップＳ３で加湿風路が閉塞された際、清浄風路は開いている。
【００７２】
ステップＳ３で加湿風路が閉塞されると、制御部３４ｂは、ファン２３を駆動させる。制御部３４ｂは、ファン２３によって供給される清浄空気Ｗ３の風量が適切な量となるように、ファン２３を駆動させる。制御部３４ｂは、例えばファン２３による送風量が最大となるように、ファン２３を駆動させる（ステップＳ４）。
【００７３】
ステップＳ４でファン２３が駆動することにより、図４に示す空気清浄運転が開始される。図４に示すように清浄空気Ｗ３は、分岐せずに清浄空気吹出口２０から上方に向かって吹き出される。高温高湿空気吹出口１３及び搬送空気吹出口２１から空気は吹き出されない。
【００７４】
制御部３４ｂは、ステップＳ４でファン２３を駆動させると、第１終了条件の判定を行う（ステップＳ５）。第１終了条件は、例えば操作部３５ａの電源スイッチがオフにされることである。一例として制御部３４ｂは、操作部３５ａの電源スイッチがオフにされたことを検知すると、第１終了条件を満たしていると判定する。
【００７５】
なお第１終了条件は本例に限られない。例えば記憶部３４ａには、予め第１設定時間が設定されていてもよい。ステップＳ５において制御部３４ｂは、ステップＳ４でファン２３を駆動させてからの経過時間が第１設定時間以上の場合に、第１終了条件が満たされたと判定してもよい。第１設定時間は、例えば操作部３５ａによって設定されてもよい。
【００７６】
制御部３４ｂは、ステップＳ５で第１終了条件が満たされていないと判定した場合には、第１終了条件が満たされるまでステップＳ５の判定を継続する。これにより、第１終了条件が満たされるまで空気清浄運転が継続される。制御部３４ｂは、第１終了条件が満たされたと判定すると、加湿器の電源をオフにする（ステップＳ６）。電源がオフになることにより、空気清浄運転が終了する。
【００７７】
制御部３４ｂは、ステップＳ２で清浄後加湿運転モードが選択されたと判定すると、上記ステップＳ３と同様に、加湿風路が閉塞されるように弁駆動部３０を動作させる（ステップＳ７）。制御部３４ｂは、ステップＳ７で加湿風路が閉塞されると、上記ステップＳ４と同様に、ファン２３を駆動させる（ステップＳ８）。
【００７８】
制御部３４ｂは、ステップＳ８でファン２３を駆動させると、切替条件の判定を行う（ステップＳ９）。切替条件は、例えばステップＳ４でファン２３が駆動されてからの経過時間が切替設定時間以上であることである。切替設定時間は、例えば記憶部３４ａに予め設定される。なお切替設定時間は、例えば操作部３５ａによって設定されてもよい。
【００７９】
制御部３４ｂは、ステップＳ９で切替条件が満たされていないと判定すると、操作部３５ａの電源スイッチがオフの状態にされているか判定する（ステップＳ１０）。制御部３４ｂは、電源スイッチがオフの状態にされたと判定すると、上記ステップＳ６と同様に、加湿器の電源をオフにする。これにより、空気清浄運転が終了する。制御部３４ｂは、電源スイッチがオフの状態にされていないと判定すると、再びステップＳ９の判定を行う。
【００８０】
また制御部３４ｂは、ステップＳ９で切替条件が満たされたと判定すると、清浄風路が閉塞されるように弁駆動部３０を動作させる。図３に示すように、風路切替弁２７によって清浄風路が閉塞される（ステップＳ１１）。これにより、空気清浄運転が終了する。すなわち清浄後加湿運転モードでは、電源スイッチがオフになるまで、あるいは切替条件が満たされるまでの一定時間だけ空気清浄運転が行われる。
【００８１】
制御部３４ｂは、ステップＳ２で加湿運転モードが選択された判定すると、上記ステップＳ１１と同様の動作をする。図３に示すように、風路切替弁２７によって清浄風路が閉塞される。ステップＳ１１で清浄風路が閉塞された際、加湿風路は開いている。
【００８２】
ステップＳ１１で清浄風路が閉塞されると、制御部３４ｂは、ファン２３及びヒータ９を駆動させる。制御部３４ｂは、例えば清浄後加湿運転モードにおいてファン２３が既に駆動している場合には、ファン２３に駆動を継続させる。制御部３４ｂは、例えばファン２３によって供給される清浄空気Ｗ３の風量が適切な量となるように、ファン２３を駆動させる。制御部３４ｂは、例えば空気清浄運転の際よりもファン２３による送風量が少なくなるように、ファン２３を駆動させる（ステップＳ１２）。
【００８３】
ファン２３及びヒータ９が駆動することにより、図３に示す加湿運転が開始される。図３に示すように、清浄空気吹出口２０から空気は吹き出されない。搬送空気吹出口２１及び高温高湿空気吹出口１３から空気が吹き出される。加湿運転の際には、加湿空気Ｗ７が加湿対象に向かって送り出される。加湿運転の際の加湿空気Ｗ７の風量は、空気清浄運転の際の清浄空気Ｗ３の風量よりも少ない。
【００８４】
加湿器１００の加湿対象は、例えば就寝中の使用者の顔である。加湿器１００は、使用者の就寝位置の近傍、例えば使用者の顔から０．７５［ｍ］離れた位置に置かれて使用される。加湿器１００は、加湿空気Ｗ７が使用者の顔に当たるように使用される。使用者は、顔に当たる空気の風速が０．５［ｍ／ｓ］以下であると、吹かれ感のない快適な状態となる。
【００８５】
加湿運転の際にファン２３は、例えば清浄空気Ｗ３の風量が０．２［ｍ＾３／ｍｉｎ］以下となるように制御される。またファン２３は、一例として搬送空気吹出口２１での風速が０．７［ｍ／ｓ］で、かつ高温高湿空気吹出口１３での風速が１．０［ｍ／ｓ］となるように制御される。これにより、搬送空気吹出口２１から０．７５［ｍ］先での加湿空気Ｗ７の風速は０．２５［ｍ／ｓ］となる。なお加湿運転の際のファン２３の制御は本例に限られない。
【００８６】
制御部３４ｂは、ステップＳ１２でファン２３及びヒータ９を駆動させると、例えばセンサ系統による検出結果に基づいてファン２３及びヒータ９の動作を制御する。これにより、加湿器１００の運転の状態が調整される（ステップＳ１３）。なお制御部３４ｂは、使用者によって予め設定された運転条件等に基づいて、ファン２３及びヒータ９の状態を調整してもよい。運転条件は、例えば操作部３５ａによって記憶部３４ａに設定される。
【００８７】
記憶部３４ａには、一例として、湿度検出部３２によって検出される湿度、人検出部３３によって検出される加湿対象までの距離及び加湿対象の位置での湿度の関係の特性データが予め記憶される。また記憶部３４ａには、例えば適正湿度範囲が予め記憶される。
【００８８】
一例として制御部３４ｂは、記憶部３４ａに記憶された特性データとセンサ系統による検出結果とに基づき、加湿対象の位置での湿度を算出する。制御部３４ｂは、算出した湿度と記憶部３４ａに記憶された適正湿度範囲とに基づいてファン２３及びヒータ９を間欠運転させる。制御部３４ｂは、例えば算出した湿度が適正湿度範囲を上回るとファン２３及びヒータ９を停止状態にさせる。制御部３４ｂは、例えば算出した湿度がこの湿度範囲を下回るとファン２３及びヒータ９を駆動状態にさせる。
【００８９】
制御部３４ｂは、ステップＳ１３で加湿器１００の運転の状態を調整すると、第２終了条件の判定を行う（ステップＳ１４）。第２終了条件は、例えば操作部３５ａの電源スイッチがオフの状態にされていることである。一例として制御部３４ｂは、操作部３５ａの電源スイッチがオフの状態にされていることを検知すると、第２終了条件を満たしていると判定する。
【００９０】
なお第２終了条件は本例に限られない。例えば記憶部３４ａには、予め第２設定時間が設定されてもよい。制御部３４ｂは、ステップＳ１２でファン２３及びヒータ９を駆動させてからの経過時間が第２設定時間以上の場合に、第２終了条件が満たされたと判定してもよい。第２設定時間は、例えば操作部３５ａによって設定されてもよい。
【００９１】
制御部３４ｂは、ステップＳ１４で第２終了条件が満たされていないと判定した場合には、第２終了条件が満たされるまでステップＳ１３の運転調整及びステップＳ１４の判定を継続する。これにより、第２終了条件が満たされるまで加湿運転が継続される。制御部３４ｂは、ステップＳ１４で第２終了条件が満たされたと判定すると、上記ステップＳ６と同様に、加湿器の電源をオフにする。これにより、加湿運転が終了する。
【００９２】
制御部３４ｂは、ステップＳ２で加湿清浄運転モードが選択されたと判定すると、加湿風路と清浄風路との両方が開かれるように、弁駆動部３０を動作させる。図２に示すように、風路切替弁２７は加湿風路と清浄風路との両方を開く（ステップＳ１５）。
【００９３】
ステップＳ１５で加湿風路と清浄風路とが開かれると、制御部３４ｂは、ファン２３及びヒータ９を駆動させる。制御部３４ｂは、ファン２３によって供給される清浄空気Ｗ３の風量が適切な量となるように、ファン２３を駆動させる。制御部３４ｂは、例えばファン２３による送風量が最大となるように、ファン２３を駆動させる（ステップＳ１６）。
【００９４】
ステップＳ１６でファン２３及びヒータ９が駆動することにより、図２に示す加湿清浄運転が開始される。図２に示すように、ファン２３によって発生させられる気流は、清浄空気吹出口２０、搬送空気吹出口２１及びガイド風路２６へ向かう。清浄空気Ｗ３は、清浄空気吹出口２０、搬送空気吹出口２１及びガイド風路２６へ分岐するように流れる。
【００９５】
加湿清浄運転では、搬送空気吹出口２１及び高温高湿空気吹出口１３から空気が吹き出される。加湿清浄運転では、加湿空気Ｗ７が加湿対象に向かって送り出される。また清浄空気Ｗ４が、清浄空気吹出口２０から上方に向かって吹き出される。
【００９６】
制御部３４ｂは、ステップＳ１６でファン２３及びヒータ９を駆動させると、上記ステップＳ１３、ステップＳ１４と同様に動作する。すなわち、第２終了条件が満たされるまで加湿清浄運転が継続される。加湿清浄運転の際のファン２３及びヒータ９の動作は、ステップＳ１３と同様に制御部３４ｂによって制御される。制御部３４ｂは、第２終了条件が満たされたと判定すると、上記ステップＳ６と同様に動作する。加湿器１００の電源がオフになることにより、加湿清浄運転が終了する。
【００９７】
上記実施例の加湿器１００は、例えば図示しない貯水検出部を備えてもよい。貯水検出部は、給水タンク２内の水の有無を検出するものである。貯水検出部は、例えば貯水部３内の水位を検出するセンサ等によって構成される。制御部３４ｂは、例えば貯水検出部の検出結果に基づいて上記ステップＳ１４の判定を行ってもよい。例えば制御部３４ｂは、貯水検出部によって給水タンク２内の水が無いことが検出されると、第２終了条件が満たされたと判定してもよい。
【００９８】
また加湿器１００は、例えば図示しないダクト温度検出部を備えてもよい。ダクト温度検出部は、高温高湿空気ダクト１２内の温度を検出するものである。ダクト温度検出部は、例えば高温高湿空気ダクト１２内に設けられた温度センサ等によって構成される。制御部３４ｂは、例えばダクト温度検出部の検出結果に基づいて、上記ステップＳ１４の判定を行ってもよい。例えば制御部３４ｂは、ダクト温度検出部によって検出された温度が許容範囲以上になると、第２終了条件が満たされたと判定してもよい。高温高湿空気ダクト１２内の温度の許容範囲は、例えば記憶部３４ａに予め設定される。
【００９９】
また人検出部３３は、本体１あるいは高温高湿空気ダクト１２等に人体が接触したことを検出する機能を有してもよい。制御部３４ｂは、例えば人検出部３３の検出結果に基づいて、上記ステップＳ１４の判定を行ってもよい。例えば制御部３４ｂは、人検出部３３によって本体１あるいは高温高湿空気ダクト１２に人体が接触したことが検出されると、第２終了条件が満たされたと判定してもよい。
【０１００】
また制御部３４ｂは、上記ステップＳ１５で、例えば加湿風路へ分岐する清浄空気Ｗ３の風量が０．２［ｍ＾３／ｍｉｎ］以下となるように弁駆動部３０を動作させてもよい。制御部３４ｂは、一例として、清浄空気Ｗ３の１０％が加湿風路へ、９０％が清浄風路へ分岐するように、弁駆動部３０を動作させる。
【０１０１】
上記実施例の加湿器１００は、例えば加湿清浄運転の際に清浄空気吹出口２０から吹き出される空気の風量が搬送空気吹出口２１から吹き出される空気の風量よりも多くなるように構成されてもよい。
【０１０２】
制御部３４ｂは、例えば上記ステップＳ１５で、清浄空気吹出口２０から吹き出される空気の風量が搬送空気吹出口２１から吹き出される空気の風量よりも多くなるように弁駆動部３０を動作させてもよい。本例であれば加湿清浄運転の際に使用者は、吹かれ感のない快適な状態でいることができる。また加湿清浄運転における空気清浄の効率がよい。
【０１０３】
高温高湿空気ダクト１２、清浄空気ダクト１８及び搬送空気ダクト１９は、例えば清浄風路の圧力損失が加湿風路の圧力損失よりも小さくなるように形成されてもよい。清浄空気ダクト１８は、一例として直線状に形成される。搬送空気ダクト１９は、湾曲した形状に形成される。清浄風路の圧力損失が小さいことにより、清浄空気吹出口２０からは効率よく空気が吹き出される。また加湿風路の圧力損失が大きいことにより、加湿風路へ導かれる清浄空気Ｗ３の風速が小さくなる。
【０１０４】
すなわち、清浄空気吹出口２０から吹き出される空気の風量は、搬送空気吹出口２１から吹き出される空気の風量よりも多くなる。これにより、空気清浄運転及び加湿清浄運転での空気清浄の効率がよい。また使用者は、加湿運転及び加湿清浄運転の際、吹かれ感のない快適な状態でいることができる。
【０１０５】
上記実施例の加湿器１００は、加湿清浄運転を行う。加湿器１００は、空気の加湿と清浄とを同時を行うことができる。また加湿清浄運転の際には、加湿空気Ｗ７は本体１に対して横方向に吹き出される。清浄空気Ｗ４は、本体１に対して上方向に吹き出される。このため清浄空気Ｗ４の流れによる加湿空気Ｗ７の流れへの影響が少ない。上記実施例であれば、加湿対象に向けて送られる加湿空気Ｗ７の到達距離がより長くなる。
【０１０６】
上記実施例において加湿空気Ｗ７は本体１に対して前方向に吹き出される。前方向は、横方向の一例である。例えば清浄空気Ｗ４は、加湿空気Ｗ７の流れを妨げない方向であれば、上方向以外に吹きだされてもよい。例えば清浄空気吹出口２０は、本体１に対して後方向へ開口していてもよい。清浄空気Ｗ４は例えば本体１に対して後方向へ吹き出されてもよい。清浄空気Ｗ４は、加湿空気Ｗ７の流れを妨げない方向に吹き出されることにより、加湿空気Ｗ７の流れに対して大きな影響を与えない。本例であれば、上記実施例と同様に、加湿対象に向けて送られる加湿空気Ｗ７の到達距離がより長くなる。
【０１０７】
なお加湿空気Ｗ７が前方向に吹き出される場合には、清浄空気Ｗ４は、例えば加湿空気Ｗ７の流れを妨げない方向として左右方向に吹き出されてもよい。また清浄空気Ｗ４は、例えば斜め前方向に吹き出されてもよい。清浄空気Ｗ４は、横方向に吹き出される加湿空気Ｗ７の流れを妨げない方向に吹き出されればよい。第２吹出口の一例である清浄空気吹出口２０は、清浄空気Ｗ４が加湿空気Ｗ７の流れを妨げないように形成されればよい。清浄空気Ｗ４が加湿空気Ｗ７の流れを妨げないことにより、加湿空気Ｗ７の到達距離がより長くなる。
【０１０８】
なお加湿器１００は、例えば搬送空気ダクト１９を備えていなくてもよい。例えば加湿器１００は、高温高湿空気Ｗ６を、搬送空気Ｗ５と混合させずに加湿対象まで直接送り出す構成であってもよい。本例においても上記実施例と同様に、加湿対象に向けて送られる空気の到達距離をより長くしつつ、空気の加湿と清浄とを同時を行うことができる加湿器１００が得られる。
【０１０９】
上記実施例では、搬送空気吹出口２１と高温高湿空気吹出口１３とは、上下に並んで配置される。搬送空気Ｗ５と高温高湿空気Ｗ６とは、図２及び図３に示されるように、本体１に対して横方向に併進しつつ、上下方向から混ざるように吹き出される。これにより、より遠い位置まで加湿された空気が届けられる。
【０１１０】
高温高湿空気Ｗ６は、水の沸騰によって生じた蒸気Ｗ１から生成される。高温高湿空気Ｗ６は、室温に比べて高温である。このため、高温高湿空気吹出口１３から吹き出された高温高湿空気Ｗ６は上昇しようとする。一方で搬送空気Ｗ５は室温である。搬送空気Ｗ５は上昇せずに、横方向に送り出される。横方向に吹き出された搬送空気Ｗ５は、高温高湿空気Ｗ６の上昇を防ぐ。これにより、高温高湿空気Ｗ６の拡散が抑制される。上記実施例であれば、より遠い位置まで湿度が高く温かい空気を届けることができる加湿器１００が得られる。
【０１１１】
なお搬送空気吹出口２１から前方に向かって吹き出される搬送空気Ｗ５は、例えば水平に比べて下向きに吹き出されてもよい。すなわち搬送空気Ｗ５は、高温高湿空気Ｗ６の風向と交わる方向に吹き出されても良い。搬送空気Ｗ５が吹き出される方向は、例えば風向調整部１９ａによって調整される。また、例えば搬送空気Ｗ５が吹き出される方向と高温高湿空気Ｗ６が吹き出される方向とが交わるように、高温高湿空気ダクト１２及び搬送空気ダクト１９が形成されてもよい。本例であれば、搬送空気Ｗ５と高温高湿空気Ｗ６とがより効率よく混合されつつ併進する。これにより、加湿空気Ｗ７の到達距離がより長くなる。
【０１１２】
上記実施例の加湿器１００は、切替手段の一例として風路切替弁２７、支持部２８、レバー２９及び弁駆動部３０を備える。これにより、上記実施例の加湿器１００は、加湿清浄運転だけでなく、加湿運転及び清浄運転を行うことができる。
【０１１３】
また上記実施例の加湿器１００は、記憶手段の一例として記憶部３４ａを有する。記憶部３４ａには、複数の運転モードが記憶される。複数の運転モードには、加湿運転モード及び空気清浄運転モードが含まれる。また加湿器１００は、選択手段の一例である操作部３５ａ及び制御手段の一例である制御部３４ｂを備える。これにより使用者は、操作部３５ａを操作することにより、加湿運転と清浄運転とを容易に切替えることができる。
【０１１４】
上記実施例における複数の運転モードには、清浄後加湿運転モードが含まれる。清浄後加湿運転モードが選択されると、加湿器１００は、空気清浄運転を一定時間だけ行ってから加湿運転を行う。清浄後加湿運転モードが選択された場合、加湿器１００は、より清浄な加湿空気Ｗ７を加湿対象に向けて吹き出すことができる。
【０１１５】
上記実施例において制御部３４ｂは、ステップＳ９で切替条件の判定を行う。切替条件は上記実施例に限られない。例えば制御部３４ｂは、空気清浄度検出部３１によって検出された空気清浄度が基準以上になると、切替条件が満たされたと判定してもよい。空気清浄度の基準は、例えば記憶部３４ａに予め設定される。
【０１１６】
また上記実施例における切替設定時間は、例えば空気清浄度検出部３１によって検出された空気清浄度に基づいて算出及び設定されてもよい。すなわち、清浄後加湿運転モードが選択された際に行われる空気清浄運転の時間は、空気清浄度に基づいて変更されてもよい。本例であれば、清浄後加湿運転モードにおいて加湿運転の前に行われる空気清浄運転の時間がより適切な時間になる。
【０１１７】
清浄後加湿運転モードが選択された際、制御部３４ｂは上記ステップＳ９で、空気清浄度検出部３１によって検出された空気清浄度に基づいてファン２３を制御してもよい。例えば制御部３４ｂは、空気清浄度が高い場合には、ファン２３の出力を下げるようにファン２３を制御してもよい。清浄後加湿運転モードが選択された場合、一例として予め設定された切替設定時間だけ空気清浄運転が行われる。本例であれば、切替設定時間の間のファン２３の出力が下げられることにより、消費電力が抑えられる。
【０１１８】
また加湿器１００は、例えば加湿運転が行われている際に湿度検出部３２によって検出された湿度が一定湿度以上となると、加湿運転が終了されて空気清浄度運転が開始される構成であってもよい。本例であれば、加湿運転が過剰に行われることが防止される。また加湿運転が終了されて空気清浄運転が開始される際には、ヒータ９が停止される。本例であればヒータ９の動作時間が適切になることにより、本体１内の温度が過度に高温になることが防止される。
【０１１９】
実施の形態２．
次に、本発明の実施の形態２について説明する。図６は本発明の実施の形態２の加湿運転時の加湿器２００を示す縦断面図である。図７は、本発明の実施の形態２の空気清浄運転時の加湿器２００を示す縦断面図である。なお図６及び図７において、実施の形態１の加湿器１００と同じ構成については同じ符号を付す。また実施の形態１の加湿器１００と同じ構成については説明を省略する。また加湿器２００は、実施の形態１の加湿器１００と基本的に同様の動作をする。
【０１２０】
本実施の形態の加湿器２００は、搬送空気ダクト１９が可動部３６を有する点で、実施の形態１の加湿器１００と異なる。可動部３６は、前後方向に移動可能な部位である。可動部３６は、例えば搬送空気ダクト１９のうち、搬送空気吹出口２１から一定距離までの部位に形成される。可動部３６は、前後方向に移動することによって、レバー２９を前後方向に回動させるように設けられる。可動部３６は、例えば手動で移動可能に形成される。
【０１２１】
本実施の形態においてレバー２９は、一例として図６及び図７に示すように本体１の上方に突出しなくてもよい。また加湿器２００は、一例として弁駆動部３０を備えなくてもよい。
【０１２２】
可動部３６が前方に移動すると、例えば図６に示すように、レバー２９が支持部２８を支点にして前側に回動する。風路切替弁２７は、支持部２８を支点にして後側へ回動する。これにより、清浄風路が閉塞される。清浄風路が閉塞された状態でファン２３及びヒータ９が駆動することにより、図６に示される加湿運転が行われる。
【０１２３】
可動部３６が後方に移動すると、例えば図７に示すように、レバー２９が支持部２８を支点にして後ろ側に回動する。風路切替弁２７は、支持部２８を支点にして前側へ回動する。これにより、加湿風路が閉塞される。加湿風路が閉塞された状態でファン２３が駆動することにより、図７に示される空気清浄運転が行われる。本例であれば、使用者は容易に加湿運転と空気清浄運転とを切替えることができる。
【０１２４】
なお制御部３４ｂは、可動部３６の動きに合わせて各機器の制御を行ってもよい。例えば制御部３４ｂは、可動部３６が後側に移動すると、ヒータ９を停止させる。また可動部３６は、例えば図６に示す位置と図７に示す位置との間の位置に移動することもできる。これにより加湿風路と清浄風路との両方が開かれる。加湿器２００は、実施の形態１の加湿器１００と同様に、加湿清浄運転を行うこともできる。
【０１２５】
実施の形態３．
次に、本発明の実施の形態３について説明する。図８は、本発明の実施の形態３の加湿器３００を示す斜視図である。図９は、本発明の実施の形態３の加湿運転時の加湿器３００を示す縦断面図である。図１０は、本発明の実施の形態３の空気清浄運転時の加湿器３００を示す縦断面図である。以下、図８から図１０を参照して、加湿器３００について説明する。
【０１２６】
図８、図９及び図１０において、実施の形態１の加湿器１００と同じ構成については同じ符号を付す。本実施の形態の加湿器３００について、実施の形態１の加湿器１００と同じ構成については説明を省略する。
【０１２７】
加湿器３００は、本体１、給水タンク２及び貯水部３を備える。貯水部３には、タンク受け部４が設けられる。また給水タンク２には取付部５が形成される。給水タンク２は、給水弁６を有する。
【０１２８】
加湿器３００は、加湿手段の一例として、超音波振動子３７を備える。超音波振動子３７は、貯水部３内に設けられる。超音波振動子３７は、貯水部３に貯められた水から高湿空気Ｗ８を生成する装置である。
【０１２９】
超音波振動子３７は、振動することによって超音波を発する。超音波振動子３７は、発した超音波により、貯水部３の水を微細な粒子であるミスト状にする。超音波振動子３７は、ミスト状にした水を、例えば貯水部３の上方へ噴出させる。これにより、高湿空気Ｗ８が生成される。
【０１３０】
貯水部３あるいは超音波振動子３７には、水に含まれる雑菌を減少させる除菌装置が設けられてもよい。除菌装置は、例えば赤外線照射装置あるいは放電装置である。また、例えば貯水部３あるいは超音波振動子３７は、抗菌性を有する材料で形成されていてもよい。これにより、例えば貯水部３内の水及び高湿空気Ｗ８に含まれる雑菌が減少する。本例であれば、雑菌の繁殖が抑制される。
【０１３１】
加湿器３００は、第１ダクトの一例として高湿空気ダクト３８を備える。高湿空気ダクト３８は、例えば湾曲した筒状である。高湿空気ダクト３８の一端には、気流取込口１７ａが形成される。高湿空気ダクト３８は、例えば気流取込口１７ａが本体１の内部で下方を向くように設けられる。
【０１３２】
高湿空気ダクト３８は、気流取込口１７ａから上方に向かって伸びた後に本体１の前方に向かって伸びるように形成される。高湿空気ダクト３８の他端には、本体１の前方に向かって開口する高湿空気吹出口３９が形成される。高湿空気吹出口３９は、本体１に対して横方向に開口する。高湿空気吹出口３９は、第１吹出口の一例である。
【０１３３】
なお高湿空気ダクト３８は、例えば９０度に曲げられた屈曲した形状であってもよい。また高湿空気ダクト３８には、高湿空気吹出口３９の上側の縁に、風向調整部１９ａが設けられてもよい。
【０１３４】
本実施の形態の貯水部３は、一例として図８及び図９に示すように、一部が高湿空気ダクト３８の途中に入り込むように形成されている。超音波振動子３７は、貯水部３のうち、高湿空気ダクト３８の途中に入り込んだ部分に配置されている。
【０１３５】
貯水部３は、超音波振動子３７の上方が開口している。高湿空気ダクト３８は、超音波振動子３７によって生成された高湿空気Ｗ８が、高湿空気ダクト３８内の空間に取り込まれるように配置されている。高湿空気ダクト３８は、取り込んだ高湿空気Ｗ８を高湿空気吹出口３９へ搬送する。
【０１３６】
加湿器３００は、第２ダクトの一例として清浄空気ダクト１８ａを備える。清浄空気ダクト１８ａは、実施の形態１の清浄空気ダクト１８に対応する。清浄空気ダクト１８ａは、一例として直線状の筒状をしている。清浄空気ダクト１８ａ内の圧力損失は、湾曲したダクト内の圧力損失よりも小さい。清浄空気ダクト１８ａは両端が開口している。清浄空気ダクト１８ａの一端の開口は、気流取込口１７ｂである。
【０１３７】
清浄空気ダクト１８ａは、気流取込口１７ｂが本体１の内部で下方を向くように設けられる。清浄空気ダクト１８ａは、例えば高湿空気ダクト３８に隣接して設けられる。清浄空気ダクト１８ａ内の風路と高湿空気ダクト３８内の風路とは独立している。清浄空気ダクト１８ａ及び高湿空気ダクト３８は、例えば気流取込口１７ａと気流取込口１７ｂとが左右に並ぶように設けられる。
【０１３８】
また清浄空気ダクト１８ａは、例えば図８及び図９に示すように、他端が本体１の上方へ向けて突出している。清浄空気ダクト１８ａの他端の開口は、清浄空気吹出口２０ａである。清浄空気吹出口２０ａは、実施の形態１の清浄空気吹出口２０に対応する。清浄空気吹出口２０ａは、本体１に対して上方向に開口する。清浄空気吹出口２０ａは、第２吹出口の一例である。
【０１３９】
また加湿器３００は、第３ダクトの一例として、高温搬送空気ダクト４０を備える。高温搬送空気ダクト４０は、例えば湾曲した筒状である。高温搬送空気ダクト４０の一端には、気流取込口１７ｃが形成される。高温搬送空気ダクト４０は、例えば気流取込口１７ｃが本体１の内部で下方を向くように設けられる。
【０１４０】
高温搬送空気ダクト４０は、気流取込口１７ｃから上方に向かって伸びた後に本体１の前方に向かって伸びるように形成される。高温搬送空気ダクト４０の他端には、本体１の前方に向かって開口する高温搬送空気吹出口４１が形成される。高温搬送空気吹出口４１は、第３吹出口の一例である。なお高温搬送空気ダクト４０は、例えば９０度に曲げられた屈曲した形状であってもよい。
【０１４１】
高温搬送空気ダクト４０は、例えば高湿空気ダクト３８に隣接して設けられる。高温搬送空気ダクト４０は、例えば高湿空気ダクト３８の前側及び下側を沿うように設けられる。高温搬送空気ダクト４０内の風路は、清浄空気ダクト１８ａ内の風路及び高湿空気ダクト３８内の風路に対して独立している。
【０１４２】
高湿空気吹出口３９と高温搬送空気吹出口４１とは、上下に並んで配置される。高温搬送空気吹出口４１は、高湿空気吹出口３９の下方に配置される。また気流取込口１７ｃは、例えば図２に示すように、気流取込口１７ａの前方に配置される。
【０１４３】
高湿空気ダクト３８及び高温搬送空気ダクト４０は、一例として上記のように配置される。高湿空気ダクト３８は、高温搬送空気ダクト４０の後側及び上側を沿うように設けられる。高湿空気ダクト３８は、高温搬送空気ダクト４０の外形状に沿った形状となっている。高湿空気ダクト３８の湾曲した部分の径は、高温搬送空気ダクト４０の湾曲した部分の径よりも大きくなっている。高湿空気ダクト３８は、高温搬送空気ダクト４０よりも長くなるように形成されている。
【０１４４】
また高温搬送空気ダクト４０には、加熱部４２が設けられる。加熱部４２は高温搬送空気ダクト４０によって搬送される空気を加熱する加熱手段の一例である。加熱部４２は、例えばヒータを有する。加熱部４２のヒータは、例えば高温搬送空気ダクト４０内に設けられる。加熱部４２は、一例としてヒータによって高温搬送空気ダクト４０内の空気を加熱する。
【０１４５】
なお加熱部４２のヒータは、高温搬送空気ダクト４０のうち、湾曲していない部分に設けられてもよい。加熱部４２のヒータは、例えば気流取込口１７ｃから上方に向かって伸びる部分に設けられてもよい。これにより、高温搬送空気ダクト４０のうちの湾曲している部分での圧力損失が大きくなることが防止される。
【０１４６】
また本体１の後部には、吸気口１５が形成されている。さらに本体１の内部の下部には、吸気風路２２が形成されている。本実施の形態の吸気風路２２は、吸気口１５から、気流取込口１７ａと気流取込口１７ｂと気流取込口１７ｃとへ至る空間である。吸気風路２２には、ファン２３が設けられる。ファン２３は、モータ２３ａ及び翼部２３ｂを有する。ファン２３は、翼部２３ｂの回転によって室内空気Ｗ２を取り込む。
【０１４７】
本実施の形態のファン２３は、例えばシロッコファンである。ファン２３は、気流取込口１７ａと気流取込口１７ｂと気流取込口１７ｃとの下方に配置される。ファン２３は、気流取込口１７ａと気流取込口１７ｂと気流取込口１７ｃとに跨るように配置される。本実施の形態では、１つのファン２３によって、３つの気流取込口へ向かう気流が発生させられる。
【０１４８】
なおファン２３は、例えば軸流ファンであってもよい。またファン２３は、例えば複数設けられてもよい。気流取込口１７ａと気流取込口１７ｂと気流取込口１７ｃとのそれぞれへ向かう気流を発生させるファン２３が設けられてもよい。本例であれば、気流取込口１７ａと気流取込口１７ｂと気流取込口１７ｃとのそれぞれへ向かう気流が独立して制御される。
【０１４９】
また加湿器３００は、実施の形態１と同様に、空気清浄フィルター２４を備える。空気清浄フィルター２４は、室内空気Ｗ２を清浄する。空気清浄フィルター２４によって清浄された空気は、清浄空気Ｗ３となる。
【０１５０】
加湿器３００は、ファン２３によって発生させられる気流を切替える切替手段の一例として、風路切替部４３を備える。風路切替部４３は、例えば気流取込口１７ａ、気流取込口１７ｂ及び気流取込口１７ｃの下方に設けられる。
【０１５１】
風路切替部４３は、例えばファン２３から気流取込口１７ｂへ至る風路を閉じる。ファン２３から気流取込口１７ｂへ至る風路を、本実施の形態では清浄風路と呼称する。清浄風路が閉じられた状態でファン２３、超音波振動子３７及び加熱部４２が駆動することにより、図９に示す加湿運転が行われる。
【０１５２】
清浄風路が閉じられた状態においてファン２３は、気流取込口１７ａ及び気流取込口１７ｃに向かう気流を発生させる。図９に示すように清浄空気Ｗ３の一部は、ファン２３が発生させた気流により、気流取込口１７ａから高湿空気ダクト３８の内部へ取り込まれる。高湿空気ダクト３８の内部へ取り込まれた清浄空気Ｗ３は、高湿空気Ｗ８と混ざり合って、高湿空気Ｗ９となる。高湿空気Ｗ９は、高湿空気吹出口３９から、本体１に対して横方向に吹き出される。
【０１５３】
また図９に示すように清浄空気Ｗ３の一部は、ファン２３が発生させた気流により、気流取込口１７ｃから高温搬送空気ダクト４０の内部へ取り込まれる。高温搬送空気ダクト４０の内部へ取り込まれた清浄空気Ｗ３は、加熱部４２によって加熱される。加熱された清浄空気Ｗ３は、高温搬送空気Ｗ１０となる。高温搬送空気Ｗ１０は、高温搬送空気吹出口４１から、本体１に対して横方向に吹き出される。
【０１５４】
図９に示される加湿運転において、高湿空気Ｗ９と高温搬送空気Ｗ１０とは、横方向に併進しつつ混ざり合う。混ざり合った高湿空気Ｗ９と高温搬送空気Ｗ１０とは、加湿空気Ｗ１１となる。加湿空気Ｗ１１は、加湿対象に向かって送り出される。
【０１５５】
また風路切替部４３は、例えばファン２３から気流取込口１７ａへ至る風路及びファン２３から１７ｃへ至る風路を閉じる。ファン２３から気流取込口１７ａへ至る風路及びファン２３から１７ｃへ至る風路を、本実施の形態ではまとめて加湿風路と呼称する。加湿風路が閉じられた状態でファン２３が駆動することにより、図１０に示す空気清浄運転が行われる。
【０１５６】
加湿風路が閉じられた状態においてファン２３は、気流取込口１７ｂに向かう気流を発生させる。図１０に示すように清浄空気Ｗ３は、分岐せずに気流取込口１７ｂから清浄空気ダクト１８ａの内部へ取り込まれる。清浄空気ダクト１８ａの内部へ取り込まれた清浄空気Ｗ３は、清浄空気吹出口２０ａから、本体１に対して上方へ吹き出される。
【０１５７】
また風路切替部４３は、加湿風路と清浄風路とが開かれた状態にすることもできる。加湿風路と清浄風路とが開かれた状態では、実施の形態１及び実施の形態２と同様に、加湿清浄運転が行われる。
【０１５８】
加湿器３００は、実施の形態１と同様に、例えば空気清浄度検出部３１、湿度検出部３２、人検出部３３等の各種のセンサ系統を備えてもよい。また加湿器３００は、実施の形態１と同様に、制御装置３４及び操作表示部３５を備える。本実施の形態の制御装置３４は、例えば制御部３４ｂによって、ファン２３、超音波振動子３７、加熱部４２及び風路切替部４３を制御する。
【０１５９】
制御装置３４は、電子部品を有する装置である。制御装置３４は、本体１の内部に設けられる。本実施の形態の制御装置３４は、例えば給水タンク２、貯水部３、超音波振動子３７及び高湿空気ダクト３８から、一定以上の距離を離されて設けられる。
【０１６０】
制御装置３４は、例えば高湿空気ダクト３８との間に高温搬送空気ダクト４０が位置するように設けられる。また制御装置３４は、例えば貯水部３との間に吸気風路２２が位置するように設けられる。
【０１６１】
高湿空気ダクト３８及び貯水部３の内部には、水あるいは湿気がある場合がある。本実施の形態の制御装置３４は、水あるいは湿気がある空間から離されて設けられる。高温搬送空気ダクト４０及び吸気風路２２の内部は、乾燥した空間である。水あるいは湿気がある空間と制御装置３４との間には、乾燥した空間がある。本例であれば、制御装置３４が有する電子部品が、水あるいは湿気から保護される。
【０１６２】
次に、加湿器３００の動作について説明する。図１１は、本発明の実施の形態３の加湿器３００の動作の一例を示すフローチャートである。図１１のフローチャートのステップＳ１０１からステップＳ１１６は、実施の形態１のステップＳ１からステップＳ１６に対応する。加湿器３００は、基本的には実施の形態１の加湿器１００と同様に動作する。実施の形態１と同様の動作については説明を省略し、実施の形態１と異なる点についてのみ説明する。
【０１６３】
ステップＳ１０１及びステップＳ１０２は実施の形態１のステップＳ１及びステップＳ２と同様の動作のため、説明を省略する。制御部３４ｂは、ステップＳ１０２で空気清浄運転モードが選択されたと判定すると、風路切替部４３に、加湿風路を閉塞させる（ステップＳ１０３）。ステップＳ１０３は、実施の形態１のステップＳ３に対応する。
【０１６４】
ステップＳ１０３で加湿風路が閉塞されると、制御部３４ｂは、ファン２３を駆動させる（ステップＳ１０４）。ステップＳ１０４において制御部３４ｂは、例えば実施の形態１のステップＳ４と同様にファン２３を駆動させる。ステップＳ１０４でファン２３が駆動することにより、図１０に示される空気清浄運転が行われる。ステップＳ１０４以降の動作、すなわちステップＳ１０５及びステップＳ１０６は実施の形態１のステップＳ５及びステップＳ６と同様のため、説明を省略する。
【０１６５】
制御部３４ｂは、ステップＳ１０２で清浄後加湿運転モードが選択されたと判定すると、風路切替部４３に、加湿風路を閉塞させる（ステップＳ１０７）。ステップＳ１０７は、実施の形態１のステップＳ７に対応する。ステップＳ１０７で加湿風路が閉塞されると、制御部３４ｂは、ファン２３を駆動させる（ステップＳ１０８）。Ｓ１０８以降の動作のうち、ステップＳ１０９及びステップＳ１１０は実施の形態１のステップＳ９及びステップＳ１０と同様のため、説明を省略する。
【０１６６】
制御部３４ｂは、ステップＳ１０２で加湿運転モードが選択されたと判定した場合又はステップＳ１０９で切替条件が満たされたと判定した場合、風路切替部４３に、清浄風路を閉塞させる（ステップＳ１１１）。ステップＳ１１１は、実施の形態１のステップＳ１１に対応する。
【０１６７】
ステップＳ１１１で清浄風路が閉塞されると、制御部３４ｂは、ファン２３、超音波振動子３７、及び加熱部４２を駆動させる（ステップＳ１１２）。これにより、図９に示される加湿運転が開始される。加湿運転では、加湿空気Ｗ１１が加湿対象に向かって送り出される。
【０１６８】
ステップＳ１１２は、実施の形態１のステップＳ１２に対応する。制御部３４ｂは、例えば実施の形態１のステップＳ１２と同様にファン２３を制御する。制御部３４ｂは、例えば清浄空気Ｗ３の風量が０．２［ｍ＾３／ｍｉｎ］以下となるようにファン２３を制御する。本例であれば、加湿運転の際、加湿対象の一例である人は吹かれ感を感じない。
【０１６９】
なお制御部３４ｂは、ステップＳ１１２で、一例としてファン２３と超音波振動子３７とを同時に駆動させる。制御部３４ｂは、例えばファン２３を駆動させてから一定時間経過後に超音波振動子３７を駆動させてもよい。本例であれば、ファン２３への高湿空気Ｗ８の逆流が防止される。
【０１７０】
ステップＳ１１２以降の動作、すなわちステップＳ１１３及びステップＳ１１４は実施の形態１のステップＳ１３及びステップＳ１４と同様のため、説明を省略する。なお本実施の形態の制御部３４ｂは、一例としてステップＳ１１３で、ファン２３、超音波振動子３７、及び加熱部４２を間欠運転させる。
【０１７１】
制御部３４ｂは、ステップＳ１０２で加湿清浄運転モードが選択されたと判定すると、清浄風路及び加湿風路が開放されるように、風路切替部４３を制御する（ステップＳ１１５）。ステップＳ１１５は、実施の形態１のステップＳ１５に対応する。
【０１７２】
ステップＳ１１５で清浄風路及び加湿風路が開放されると、制御部３４ｂは、ファン２３、超音波振動子３７、及び加熱部４２を駆動させる（ステップＳ１１６）。これにより、加湿清浄運転が開始される。加湿清浄運転では、清浄空気吹出口２０ａ、高湿空気吹出口３９及び高温搬送空気吹出口４１から空気が吹き出される。清浄空気吹出口２０ａからは、本体１に対して上方向に空気が吹き出される。高湿空気吹出口３９及び高温搬送空気吹出口４１からは、本体１に対して横方向に空気が吹き出される。
【０１７３】
ステップＳ１１６は、実施の形態１のステップＳ１６に対応する。制御部３４ｂは、例えば実施の形態１のステップＳ１６と同様にファン２３を制御する。なお制御部３４ｂは、例えば気流取込口１７ａ及び気流取込口１７ｂへ導かれる清浄空気Ｗ３の風量が０．２［ｍ＾３／ｍｉｎ］以下となるように風路切替部４３を制御してもよい。ステップＳ１１６以降は、実施の形態１のステップＳ１６以降と同様に動作する。
【０１７４】
上記構成及び動作により、加湿器３００であれば、実施の形態１の加湿器１００と同様の効果が得られる。加湿器３００であれば、加湿対象に向けて送られる加湿空気Ｗ１１の到達距離がより長くなる。また加湿器３００は、室内の空気の清浄と加湿空気Ｗ１１の供給とを同時に行うことができる。さらに、加湿運転及び加湿清浄運転の際、加湿対象の一例である人は吹かれ感を感じることがない。
【０１７５】
なお実施の形態１と同様に、加湿清浄運転の際に清浄空気吹出口２０ａから吹き出される空気は、高湿空気吹出口３９及び高温搬送空気吹出口４１から吹き出される空気の流れに影響を与えない方向であれば、上方向以外に吹き出されてもよい。清浄空気吹出口２０ａは、上方向以外にも、例えば後ろ方向、左右方向、あるいは斜め前方向等に開口していてもよい。
【０１７６】
上記実施例において、高湿空気吹出口３９と高温搬送空気吹出口４１とは、上下に並んで配置される。例えば図９に示されるように、高湿空気Ｗ９と高温搬送空気Ｗ１０とは、本体１に対して横方向に併進しつつ、上下方向から混ざるように吹き出される。
【０１７７】
高湿空気Ｗ８は、ミスト状の水によって生成される。このため、高湿空気Ｗ８は室温に比べて低温である。また清浄空気Ｗ３は室温である。このため、清浄空気Ｗ３と高湿空気Ｗ８が混ざりあった高湿空気Ｗ９は、室温に比べて低温である。高湿空気吹出口３９から横方向に吹き出された高湿空気Ｗ９は、下降しようとする。
【０１７８】
加熱部４２によって加熱された高温搬送空気Ｗ１０は、室温より高温である。高温搬送空気吹出口４１から吹き出された高温搬送空気Ｗ１０は、上昇しようとする。上記実施例であれば、高湿空気Ｗ９と高温搬送空気Ｗ１０とは、効率よく混合されつつ併進する。これにより、加湿空気Ｗ１１の到達距離がより長くなる。
【０１７９】
なお実施の形態１と同様に、例えば高湿空気Ｗ９は、高湿空気吹出口３９から水平に比べて下向きに吹き出されてもよい。これにより、高湿空気Ｗ９と高温搬送空気Ｗ１０とは、より効率よく混合される。
【０１８０】
加湿器３００は、例えば加湿運転及び加湿清浄運転が終了される際、超音波振動子３７が停止してから一定時間経過後にファン２３が停止するように構成されてもよい。すなわち超音波振動子３７の停止後、ファン２３が一定時間だけ追加駆動してもよい。
【０１８１】
加湿運転及び加湿清浄運転の際には、高湿空気ダクト３８内は、湿度が高くなる。本例であれば、ファン２３の追加駆動によって高湿空気ダクト３８内が乾かされる。これにより、雑菌の繁殖が抑制される。
【０１８２】
なおこの追加駆動の際のファン２３の出力は、例えば加湿運転及び加湿清浄運転の際のファン２３の出力よりも低くてもよい。これにより、ファン２３は、省エネルギーかつ静音の状態で追加駆動される。またファン２３が追加駆動している際には、ファン２３が追加駆動している旨が表示部３５ｂに表示されてもよい。
【０１８３】
上記実施例において加熱部４２のヒータは、一例として制御部３４ｂによって制御される。加熱部４２のヒータは、例えばＰＴＣヒータ等の自己温度制御式のヒータであってもよい。加熱部４２のヒータの温度は、制御部３４ｂによって調節されなくてもよい。本例であれば、加熱部４２によって加熱された高温搬送空気Ｗ１０の温度の調節が、より容易かつ適切に行われる。
【０１８４】
加湿器３００は、加湿手段の一例として、超音波振動子３７を備える。超音波振動子３７は、容易かつ効率的に高湿空気Ｗ８を生成することができる装置である。本実施の形態であれば、高湿空気Ｗ８及び高湿空気Ｗ９の生成が、実施の形態１に比べてより容易かつ効率的に行われる。
【０１８５】
高湿空気ダクト３８は、高温搬送空気ダクト４０よりも長くなるように形成される。高湿空気ダクト３８は、限られた設計範囲内において、より長くなるように形成される。これにより、加湿運転の際に清浄空気Ｗ３と高湿空気Ｗ８とが混ざりあう空間の長さがより長くなる。加湿運転の際に清浄空気Ｗ３と高湿空気Ｗ８とは、ムラ無く混ざり合う。これにより、清浄空気Ｗ３と高湿空気Ｗ８との混ざりムラが少ない高湿空気Ｗ９が加湿対象へ送り出される。
【０１８６】
また上記実施例の貯水部３は、高湿空気ダクト３８に一部が入り込んでいる。貯水部３、超音波振動子３７及び高湿空気ダクト３８は、例えば図９に示すように、加湿運転の際に清浄空気Ｗ３が高湿空気Ｗ８の側方を沿って流れるように配置されてもよい。
【０１８７】
清浄空気Ｗ３は、一例として高湿空気Ｗ８の側方を、下方から上方に向けて流れる。これにより高湿空気Ｗ８は、高湿空気Ｗ８に誘引されやすくなる。清浄空気Ｗ３に誘引された高湿空気Ｗ８は、高湿空気Ｗ８と混ざって高湿空気Ｗ９となる。本例であれば、高湿空気Ｗ８は高湿空気ダクト３８内に滞留しにくくなる。これにより、高湿空気Ｗ９が効率よく生成される。
【０１８８】
なお貯水部３は、高湿空気ダクト３８に一部が入り込んでいなくてもよい。貯水部３は、例えば高湿空気ダクト３８の下方に設けられてもよい。高湿空気ダクト３８の下方に設けられた貯水部３と高湿空気ダクト３８とは、例えば図示しない接続ダクトを介して接続される。本例において高湿空気Ｗ８は、接続ダクトを通って高湿空気ダクト３８へ導かれる。本例であれば、高湿空気ダクト３８に貯水部３が入り込まないことにより、高湿空気ダクト３８内の清浄空気Ｗ３の流れが円滑になる。
【０１８９】
実施の形態４．
次に、本発明の実施の形態４について説明する。本実施の形態の加湿器４００の構成及び動作は、基本的に実施の形態３の加湿器３００と同様である。実施の形態３と同じ構成及び動作については、説明を省略する。図１２は、本発明の実施の形態４の加湿運転時の加湿器４００を示す縦断面図である。図１３は、本発明の実施の形態４の空気清浄運転時の加湿器４００を示す縦断面図である。
【０１９０】
加湿器４００は、加湿手段の一例として、実施の形態３における超音波振動子３７の代わりに気化フィルター４４を備える。気化フィルター４４は、水を吸収する材料により形成される。水を吸収する材料は、例えばレーヨン等である。気化フィルター４４は、例えば給水部４４ａ及び蒸発部４４ｂを有する。
【０１９１】
給水部４４ａは、貯水部３内の水に浸される。給水部４４ａは、貯水部３内の水を吸い上げる部位である。蒸発部４４ｂには、給水部４４ａから水が供給される。気化フィルター４４は、例えば図１２及び図１３に示すように、蒸発部４４ｂが高湿空気ダクト３８内に位置するように、配置される。
【０１９２】
図１４は、本発明の実施の形態４の加湿器４００の動作の一例を示すフローチャートである。図１４のフローチャートのステップＳ２０１からステップＳ２１６は、実施の形態３のステップＳ１０１からステップＳ１１６までと基本的に同様である。ステップＳ２０１からステップＳ２１６までの詳細な説明を省略する。
【０１９３】
ステップＳ２１２及びステップ２１６において制御部３４ｂは、ファン２３及び加熱部４２を駆動させる。ファン２３が駆動すると、例えば図１２に示すように、気化フィルター４４の側方に清浄空気Ｗ３が流れる。
【０１９４】
気化フィルター４４の側方に清浄空気Ｗ３が流れると、蒸発部４４ｂから水が蒸発する。蒸発した水により、高湿空気Ｗ８が生成される。また蒸発部４４ｂから水が蒸発すると、毛細管現象により、給水部４４ａから蒸発部４４ｂへと水が再び供給される。なお蒸発部４４ｂは、例えば給水部４４ａよりも表面積が大きくなるように形成されてもよい。これにより、蒸発部４４ｂから効率よく水が蒸発する。
【０１９５】
本実施の形態であれば、加湿手段の一例として気化フィルター４４が用いられることにより、電力を用いることなく高湿空気Ｗ８が生成される。本実施の形態であれば、加湿器４００の構造及び制御が、より簡便なものになる。
【０１９６】
図１５は、上記実施の形態１から実施の形態４の制御装置３４のハードウェア構成図である。制御装置３４は、一例として印刷配線基板を有する。印刷配線基板上には、記憶回路、記憶回路に記憶された各種の制御プログラムを実行する演算処理部、演算処理部に対して信号を入出力する入出力回路及び時間を計測するタイマー回路が、一例として設けられる。記憶回路、演算処理部、入出力回路及びタイマー回路を、まとめて処理回路とする。
【０１９７】
制御装置３４の記憶部３４ａ及び制御部３４ｂの各機能は、この処理回路により実現される。処理回路は、専用ハードウェア６０であってもよい。処理回路は、プロセッサ６１及びメモリ６２を備えていてもよい。処理回路は、一部が専用ハードウェア６０として形成され、更にプロセッサ６１及びメモリ６２を備えていてもよい。図１５は、処理回路が、その一部が専用ハードウェア６０として形成され、プロセッサ６１及びメモリ６２を備えている場合の例を示している。
【０１９８】
処理回路の少なくとも一部が、少なくとも１つの専用ハードウェア６０である場合、処理回路は、例えば、単一回路、複合回路、プログラム化したプロセッサ、並列プログラム化したプロセッサ、ＡＳＩＣ、ＦＰＧＡ、又はこれらを組み合わせたものが該当する。
【０１９９】
処理回路が少なくとも１つのプロセッサ６１及び少なくとも１つのメモリ６２を備える場合、制御装置３４の記憶部３４ａ及び制御部３４ｂの各機能は、ソフトウェア、ファームウェア、又はソフトウェアとファームウェアとの組み合わせにより実現される。ソフトウェア及びファームウェアはプログラムとして記述され、メモリ６２に格納される。プロセッサ６１は、メモリ６２に記憶されたプログラムを読み出して実行することにより、各部の機能を実現する。プロセッサ６１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータあるいはＤＳＰともいう。メモリ６２は、例えば、ＲＡＭ、ＲＯＭ、フラッシュメモリー、ＥＰＲＯＭ及びＥＥＰＲＯＭ等の不揮発性又は揮発性の半導体メモリ、又は磁気ディスク、フレキシブルディスク、光ディスク、コンパクトディスク、ミニディスク及びＤＶＤ等が該当する。
【０２００】
このように、処理回路は、ハードウェア、ソフトウェア、ファームウェア、又はこれらの組み合わせによって、制御装置３４の記憶部３４ａ及び制御部３４ｂの各機能を実現することができる。
【符号の説明】
【０２０１】
１  本体、  ２  給水タンク、  ３  貯水部、  ４  タンク受け部、  ５  取付部、  ６  給水弁、  ７  蒸気生成部、  ８  蒸発皿、  ９  ヒータ、  １０  蒸気カバー、  １１  ホース、  １２  高温高湿空気ダクト、  １３  高温高湿空気吹出口、  １４  ガードリブ、  １５  吸気口、  １６  送風ダクト、  １７  気流取込口、  １７ａ  気流取込口、  １７ｂ  気流取込口、  １７ｃ  気流取込口、  １８  清浄空気ダクト、  １８ａ  清浄空気ダクト、  １９  搬送空気ダクト、  １９ａ  風向調整部、  ２０  清浄空気吹出口、  ２０ａ  清浄空気吹出口、  ２１  搬送空気吹出口、  ２２  吸気風路、  ２３  ファン、  ２３ａ  モータ、  ２３ｂ  翼部、  ２４  空気清浄フィルター、  ２５  蒸気混合空間、  ２６  ガイド風路、  ２７  風路切替弁、  ２８  支持部、  ２９  レバー、  ３０  弁駆動部、  ３１  空気清浄度検出部、  ３２  湿度検出部、  ３３  人検出部、  ３４  制御装置、  ３４ａ  記憶部、  ３４ｂ  制御部、  ３５  操作表示部、  ３５ａ  操作部、  ３５ｂ  表示部、  ３６  可動部、  ３７  超音波振動子、  ３８  高湿空気ダクト、  ３９  高湿空気吹出口、  ４０  高温搬送空気ダクト、  ４１  高温搬送空気吹出口、  ４２  加熱部、  ４３  風路切替部、  ４４  気化フィルター、  ４４ａ  給水部、  ４４ｂ  蒸発部  、  ６０  専用ハードウェア、  ６１  プロセッサ、  ６２  メモリ、  １００  加湿器、  ２００  加湿器、  ３００  加湿器、  ４００  加湿器
【図１】
0006565713.tif 000002
【図２】
0006565713.tif 000003
【図３】
0006565713.tif 000004
【図４】
0006565713.tif 000005
【図５】
0006565713.tif 000006
【図６】
0006565713.tif 000007
【図７】
0006565713.tif 000008
【図８】
0006565713.tif 000009
【図９】
0006565713.tif 000010
【図１０】
0006565713.tif 000011
【図１１】
0006565713.tif 000012
【図１２】
0006565713.tif 000013
【図１３】
0006565713.tif 000014
【図１４】
0006565713.tif 000015
【図１５】
0006565713.tif 000016